【手続補正書】
【提出日】平成15年11月14日(2003.11.14)
【手続補正１】
【補正対象書類名】明細書
【補正対象項目名】発明の名称
【補正方法】変更
【補正の内容】
【発明の名称】遊技用システム
【手続補正２】
【補正対象書類名】明細書
【補正対象項目名】特許請求の範囲
【補正方法】変更
【補正の内容】
【特許請求の範囲】
【請求項１】
遊技場に設置され、貨幣が挿入されて該挿入された貨幣金額の範囲内の所定金額に相当し、遊技に使用可能な遊技用有価価値の大きさを特定可能な情報が記録された遊技用記録媒体を発行する発行処理を行う発行装置と、
遊技場に設置され、貨幣及び前記遊技用記録媒体が挿入されて該挿入された貨幣金額に相当する遊技用有価価値の大きさを該挿入された遊技用記録媒体の記録情報により特定される遊技用有価価値の大きさに加算する価値加算処理を行う価値加算装置と、
遊技場とは個別の管理センター内に設置され、前記発行装置及び前記価値加算装置が設置されている遊技場の前記遊技用記録媒体に関する情報を収集・管理する集中管理コンピュータと、
を備える遊技用システムであって、
前記集中管理コンピュータは、複数の遊技場における少なくとも前記発行装置による前記遊技用記録媒体の発行枚数を含む前記遊技用記録媒体の発行に関する情報並びに前記価値加算装置により前記価値加算処理が行われた回数を含む前記遊技用記録媒体の価値加算に関する情報を収集し、該収集した前記遊技用記録媒体の発行並びに価値加算に関する情報を各遊技場毎に管理するとともに、該管理情報を出力可能な出力手段を具備することを特徴とする遊技用システム。
【請求項２】
前記各遊技場毎に設置され、該設置されている遊技場における前記遊技用記録媒体の発行並びに価値加算に関する情報を収集し、該収集情報の集計を行うとともに、該集計した集計情報を前記集中管理コンピュータに送信する集計端末を備える請求項１に記載の遊技用システム。
【請求項３】
前記集中管理コンピュータは、前記遊技用記録媒体の発行並びに価値加算に関する情報として前記遊技用記録媒体の発行処理に供された発行金額並びに前記価値加算処理に供された価値加算金額を管理する請求項１または２に記載の遊技用システム。
【請求項４】
前記発行装置は、異なる大きさの遊技用有価価値を特定可能な情報が記録された複数の種別の遊技用記録媒体を発行可能であって、
前記集中管理コンピュータは、前記遊技用記録媒体の種別毎に該遊技用記録媒体の発行並びに価値加算に関する情報を管理する請求項１〜３のいずれかに記載の遊技用システム。
【手続補正３】
【補正対象書類名】明細書
【補正対象項目名】０００１
【補正方法】変更
【補正の内容】
【０００１】
【発明の属する技術の分野】
本発明は、遊技に使用可能とされた遊技用有価価値の大きさを特定可能な情報が記録されたプリペイドカード等の遊技用記録媒体の購入（発行）や、入金金額に相当する大きさの遊技用有価価値を遊技用記録媒体の記録情報より特定される遊技用有価価値の大きさに加算更新して遊技に使用可能とする価値加算（追加入金）が実施可能とされた遊技場における情報を収集・管理する遊技用システムに関する。


【手続補正４】
【補正対象書類名】明細書
【補正対象項目名】０００５
【補正方法】変更
【補正の内容】
【０００５】
よって、本発明は上記した問題点に着目してなされたもので、前記のように価値加算（追加入金）が可能とされた複数の遊技場における遊技用記録媒体の購入（発行）並びに価値加算（追加入金）に関する情報を、収集・管理可能な遊技用システムを提供することを目的としている。


【手続補正５】
【補正対象書類名】明細書
【補正対象項目名】０００６
【補正方法】変更
【補正の内容】
【０００６】
【課題を解決するための手段】
前記した問題を解決するために、本発明の遊技用システムは、遊技場に設置され、貨幣が挿入されて該挿入された貨幣金額の範囲内の所定金額に相当し、遊技に使用可能な遊技用有価価値の大きさを特定可能な情報が記録された遊技用記録媒体を発行する発行処理を行う発行装置と、
遊技場に設置され、貨幣及び前記遊技用記録媒体が挿入されて該挿入された貨幣金額に相当する遊技用有価価値の大きさを該挿入された遊技用記録媒体の記録情報により特定される遊技用有価価値の大きさに加算する価値加算処理を行う価値加算装置と、
遊技場とは個別の管理センター内に設置され、前記発行装置及び前記価値加算装置が設置されている遊技場の前記遊技用記録媒体に関する情報を収集・管理する集中管理コンピュータと、
を備える遊技用システムであって、
前記集中管理コンピュータは、複数の遊技場における少なくとも前記発行装置による前記遊技用記録媒体の発行枚数を含む前記遊技用記録媒体の発行に関する情報並びに前記価値加算装置により前記価値加算処理が行われた回数を含む前記遊技用記録媒体の価値加算に関する情報を収集し、該収集した前記遊技用記録媒体の発行並びに価値加算に関する情報を各遊技場毎に管理するとともに、該管理情報を出力可能な出力手段を具備することを特徴としている。
この特徴によれば、前記発行装置及び前記価値加算装置が設置され、前記遊技用記録媒体の発行処理及び前記価値加算処理（追加入金処理）が可能とされた複数の遊技場における少なくとも前記発行装置による前記遊技用記録媒体の発行枚数を含む前記遊技用記録媒体の発行に関する情報並びに前記価値加算装置により前記価値加算処理がなされた回数を含む前記遊技用記録媒体の価値加算に関する情報を、遊技場とは個別の管理センター内に設置された集中管理コンピュータが収集・管理し、該管理情報を出力可能な出力手段を有することで、例えば出力されたこれら管理情報に基づき、遊技用記録媒体の提供機関等が各遊技場毎に前記遊技用記録媒体の発行枚数及び前記価値加算処理がなされた回数を把握できるため、各遊技場毎に遊技用記録媒体の発行及び前記価値加算（追加入金）における手数料を正確に徴収することが可能となる。


【手続補正６】
【補正対象書類名】明細書
【補正対象項目名】０００７
【補正方法】変更
【補正の内容】
【０００７】
本発明の遊技用システムは、前記各遊技場毎に設置され、該設置されている遊技場における遊技用記録媒体の発行並びに価値加算に関する情報を収集し、該収集情報の集計を行うとともに、該集計した集計情報を前記集中管理コンピュータに送信する集計端末を備えることが好ましい。
このようにすれば、遊技用記録媒体の発行並びに価値加算に関する情報を収集し、該収集情報（データ）の集計を行う集計端末を各遊技場毎に設けることで、集中管理コンピュータに送信されるデータ容量を大幅に低減でき、遊技用システムの運営コストを大幅に低減することができる。


【手続補正７】
【補正対象書類名】明細書
【補正対象項目名】０００８
【補正方法】変更
【補正の内容】
【０００８】
本発明の遊技用システムの前記集中管理コンピュータは、前記遊技用記録媒体の発行並びに価値加算に関する情報として前記遊技用記録媒体の発行処理に供された発行金額並びに前記価値加算処理に供された価値加算金額を管理することが好ましい。
このようにすれば、各遊技場毎の遊技用記録媒体の発行処理及び価値加算処理による正確な販売金額や複数の遊技場全体の正確な販売金額を把握できるようになる。


【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】変更
【補正の内容】
【００１０】
本発明の遊技用システムの前記発行装置は、異なる大きさの遊技用有価価値を特定可能な情報が記録された複数の種別の遊技用記録媒体を発行可能であって、
前記集中管理コンピュータは、前記遊技用記録媒体の種別毎に該遊技用記録媒体の発行並びに価値加算に関する情報を管理することが好ましい。
このようにすれば、遊技用記録媒体の種別毎に遊技用記録媒体の発行並びに価値加算に関する情報を把握できる。


【手続補正１０】
【補正対象書類名】明細書
【補正対象項目名】０１３７
【補正方法】変更
【補正の内容】
【０１３７】
本発明の請求項１は、遊技場に設置され、貨幣が挿入されて該挿入された貨幣金額の範囲内の所定金額に相当し、遊技に使用可能な遊技用有価価値（度数）の大きさを特定可能な情報が記録された遊技用記録媒体（ＩＣカード３７）を発行する発行処理を行う発行装置（カードユニット３、発行入金精算機４５）と、遊技場に設置され、貨幣及び前記遊技用記録媒体が挿入されて該挿入された貨幣金額に相当する遊技用有価価値の大きさを該挿入された遊技用記録媒体の記録情報により特定される遊技用有価価値の大きさに加算する価値加算処理（追加入金処理）を行う価値加算装置（カードユニット３、発行入金精算機４５）と、遊技場とは個別の管理センター内に設置され、前記発行装置及び前記価値加算装置が設置されている遊技場の前記遊技用記録媒体に関する情報を収集・管理する集中管理コンピュータ（管理サーバ２００）と、を備える遊技用システムであって、前記集中管理コンピュータは、複数の遊技場における少なくとも前記発行装置による前記遊技用記録媒体の発行枚数を含む前記遊技用記録媒体の発行に関する情報並びに前記価値加算装置により前記価値加算処理が行われた回数（入金回数）を含む前記遊技用記録媒体の価値加算（追加入金）に関する情報を収集し、該収集した前記遊技用記録媒体の発行並びに価値加算に関する情報を各遊技場毎に管理するとともに、該管理情報を出力可能な出力手段（表示装置２０６）を具備する。


【手続補正１１】
【補正対象書類名】明細書
【補正対象項目名】０１３８
【補正方法】変更
【補正の内容】
【０１３８】
本発明の請求項２は、前記各遊技場毎に設置され、該設置されている遊技場における前記遊技用記録媒体（ＩＣカード３７）の発行並びに価値加算（追加入金）に関する情報を収集し、該収集情報の集計を行うとともに、該集計した集計情報を前記集中管理コンピュータ（管理サーバ２００）に送信する集計端末（管理コンピュータ４９）を備える。
【手続補正１２】
【補正対象書類名】明細書
【補正対象項目名】０１３９
【補正方法】変更
【補正の内容】
【０１３９】
本発明の請求項３は、前記集中管理コンピュータ（管理サーバ２００）は、前記遊技用記録媒体（ＩＣカード３７）の発行並びに価値加算（追加入金）に関する情報として前記遊技用記録媒体の発行処理に供された発行金額（発行売上）並びに前記価値加算処理（追加入金処理）に供された価値加算金額（入金売上）を管理する。
【手続補正１３】
【補正対象書類名】明細書
【補正対象項目名】０１４０
【補正方法】削除
【補正の内容】
【手続補正１４】
【補正対象書類名】明細書
【補正対象項目名】０１４１
【補正方法】変更
【補正の内容】
【０１４１】
本発明の請求項４は、前記発行装置（カードユニット３、発行入金精算機４５）は、異なる大きさの遊技用有価価値（度数）を特定可能な情報が記録された複数の種別（券種）の遊技用記録媒体（ＩＣカード３７）を発行可能であって、前記集中管理コンピュータ（管理サーバ２００）は、前記遊技用記録媒体の種別毎に該遊技用記録媒体の発行並びに価値加算（追加入金）に関する情報を管理する。


【手続補正１５】
【補正対象書類名】明細書
【補正対象項目名】０１５４
【補正方法】変更
【補正の内容】
【０１５４】
（ａ）請求項１の発明によれば、前記発行装置及び前記価値加算装置が設置され、前記遊技用記録媒体の発行処理及び前記価値加算処理（追加入金処理）が可能とされた複数の遊技場における少なくとも前記発行装置による前記遊技用記録媒体の発行枚数を含む前記遊技用記録媒体の発行に関する情報並びに前記価値加算装置により前記価値加算処理が行われた回数を含む前記遊技用記録媒体の価値加算に関する情報を、遊技場とは個別の管理センター内に設置された集中管理コンピュータが収集・管理し、該管理情報を出力可能な出力手段を有することで、例えば出力されたこれら管理情報に基づき、遊技用記録媒体の提供機関等が各遊技場毎に前記遊技用記録媒体の発行枚数及び前記価値加算処理が行われた回数を把握できるため、各遊技場毎に遊技用記録媒体の発行及び前記価値加算（追加入金）における手数料を正確に徴収することが可能となる。


【手続補正１６】
【補正対象書類名】明細書
【補正対象項目名】０１５５
【補正方法】変更
【補正の内容】
【０１５５】
（ｂ）請求項２の発明によれば、遊技用記録媒体の発行並びに価値加算に関する情報を収集し、該収集情報（データ）の集計を行う集計端末を各遊技場毎に設けることで、集中管理コンピュータに送信されるデータ容量を大幅に低減でき、遊技用システムの運営コストを大幅に低減することができる。


【手続補正１７】
【補正対象書類名】明細書
【補正対象項目名】０１５６
【補正方法】変更
【補正の内容】
【０１５６】
（ｃ）請求項３の発明によれば、各遊技場毎の遊技用記録媒体の発行処理及び価値加算処理による正確な販売金額や複数の遊技場全体の正確な販売金額を把握できるようになる。


【手続補正１８】
【補正対象書類名】明細書
【補正対象項目名】０１５７
【補正方法】削除
【補正の内容】
【手続補正１９】
【補正対象書類名】明細書
【補正対象項目名】０１５８
【補正方法】変更
【補正の内容】
【０１５８】
（ｄ）請求項４の発明によれば、遊技用記録媒体の種別毎に遊技用記録媒体の発行並びに価値加算に関する情報を把握できる。